(57)【要約】【課題】よりコンパクトな構成を有し、コリメータを駆動する小型モータ装置の搭載を可能にするレンズ駆動装置を提供する。【解決手段】ホルダＨＬＤにおける磁石ＭＧ４に対向する面Ｐ４が、対物レンズＯＢＪに近い面Ｐ６に対して内方（対物レンズＯＢＪの光軸寄り）にシフトしているので、外径の大きい対物レンズＯＢＪを搭載できるにもかかわらず、モータ装置ＭＴとヨークＹＫ５又は磁石ＭＧ４との干渉を回避できる。【選択図】図１
2008122594.tif 000002
【特許請求の範囲】
【請求項１】
光源側から入射した光束を立ち上げミラーで反射させ、対物レンズを介して光ディスクに集光させる光ピックアップ装置用のレンズ駆動装置であって、
ベースと、
前記ベースに対して可動であり、対物レンズを保持するホルダと、
前記ホルダにおいて前記レンズを挟んで設けられた一対のコイルと、
前記一対のコイルに対向するようにして、前記ベースに取り付けられた一対の磁石とを有し、
前記ホルダは、前記磁石に対向する面のうち前記光源からの光束が入射する方向に向いた少なくとも一つの面が、前記対物レンズに近い面に対して内方にシフトしていることを特徴とするレンズ駆動装置。
【請求項２】
光源側から入射した光束を立ち上げミラーで反射させ、対物レンズを介して光ディスクに集光させる光ピックアップ装置用のレンズ駆動装置であって、
ベースと、
前記ベースに対して可動であり、対物レンズを保持するホルダと、
前記ホルダにおいて前記対物レンズを挟んで設けられた一対のコイルと、
前記一対のコイルに対向するようにして、前記ベースに取り付けられた一対の磁石とを有し、
前記磁石に対向する前記ホルダの面のうち少なくとも一つの面は、前記対物レンズの外周より光軸寄りに配置されていることを特徴とするレンズ駆動装置。
【請求項３】
光源側から入射した光束を立ち上げミラーで反射させ、対物レンズを介して光ディスクに集光させる光ピックアップ装置用のレンズ駆動装置であって、
ベースと、
前記ベースに対して可動であり、対物レンズを保持するホルダと、
前記ベースに対して前記ホルダの片側に向かって延在し支持する弾性部材と、
前記ホルダにおいて前記レンズを挟んで設けられた一対のコイルと、
前記一対のコイルに対向するようにして、前記ベースに取り付けられた一対の磁石とを有し、
前記ホルダは、前記磁石に対向する面のうち前記弾性部材が延在していない側の少なくとも一つの面が、前記対物レンズに近い面に対して内方にシフトしていることを特徴とするレンズ駆動装置。
【請求項４】
前記光源からの光束は可動コリメータを通過して前記立ち上げミラーで反射されることを特徴とする請求項１〜３のいずれかに記載のレンズ駆動装置。
【請求項５】
前記ホルダは、前記可動コリメータの光軸方向に沿った長さを、それに直交する方向の長さより短くしたことを特徴とする請求項４に記載のレンズ駆動装置。
【請求項６】
前記可動コリメータを駆動するモータ装置を、前記磁石の近傍に設けたことを特徴とする請求項４又は５に記載のレンズ駆動装置。
【請求項７】
前記可動コリメータを、前記対物レンズの近傍に設けたことを特徴とする請求項４〜６のいずれかに記載のレンズ駆動装置。
【請求項８】
前記コイルは、前記磁石に対向する辺の長さが、それに直交する辺の長さより長いことを特徴とする請求項１〜７のいずれかに記載のレンズ駆動装置。
【発明の詳細な説明】
【技術分野】
【０００１】
本発明は、光ピックアップ装置用のレンズ駆動装置に関し、特に、コンパクトな構成を有し、コリメータを駆動する小型モータ装置等の搭載を可能にするレンズ駆動装置に関する。
【背景技術】
【０００２】
ＣＤやＤＶＤに代表される光ディスクに対して、情報の記録及び／又は再生を行える光ピックアップ装置が開発されている。また、波長４００ｎｍ程度の青紫色半導体レーザを用いて、Ｂｌｕ−ｒａｙ  ＤｉｓｃやＨＤ  ＤＶＤなどの光ディスクに情報の記録／再生を行える光ピックアップ装置の開発も急速に進んでいる。ここで、光ピックアップ装置における、集光スポットを形成する対物レンズにおいては、情報の記録及び／又は再生時に、光ディスクの情報記録面に集光スポットを適切に結像させるためのフォーカシング動作と、光ディスクのトラックに適切に追従するトラッキング動作とが必要となっている。又、近年増大する傾向にあるＤＶＤの高速記録再生に対応させるべく、それらの動作に加えて、対物レンズの傾きを調整して収差補正を行うためのティルト動作も行われることが多くなってきている。加えて、ＨＤ  ＤＶＤの場合、基板厚が比較的厚く開口数も増大していることから、ティルト動作を精度良く行うことがより重要な課題となっている。そこで、特許文献１に示すように、対物レンズをフォーカシング、トラッキング、ティルト制御を行うため、小型のアクチュエータが設けられている。
【特許文献１】特許第３７８８４７３号明細書
【発明の開示】
【発明が解決しようとする課題】
【０００３】
ところで、ノート型パソコン等に搭載される、いわゆるスリム又はウルトラスリムタイプの光ピックアップ装置には、厚み方向の制約を維持しつつ、サイズを成り立たせるため、片持型のアクチュエータを用いることが多い。しかしながら、構造上高次共振性能を大きく改善できずアクチュエータの広帯域化が困難であるという問題や、誤差感度が非常に高く動作時の振動、衝撃、環境変化等により著しく性能が劣化し制御が不安定になりやすく、それ故、対物レンズに対して対称位置に駆動コイルが配置される対称型アクチュエータの方が好ましいといえる。しかしながら、対称型アクチュエータにすれば、光軸方向のサイズを縮小することが困難であり装置が大型化し、部品を配置する上でのサイズ上の制約がある。特に、最近の３波長互換タイプ等の光ピックアップ装置では、球面収差補正やＣＤ使用時の収差最適化等のためコリメータを光軸方向に移動させることが行われている。このような可動コリメータを対物レンズの近傍に配置する場合、それを駆動する小型モータを光ピックアップ装置に搭載する必要があるため、対物レンズ近傍のスペースが厳しく制限されるという問題がある。更に、対称型アクチュエータの場合、コリメータレンズを可動とするためのアーム部とアクチュエータの磁気回路部とが接触してしまう恐れもある。
【０００４】
本発明は、かかる問題点に鑑みて成されたものであり、よりコンパクトな構成を有し、コリメータを駆動する小型モータ装置の搭載を可能にするレンズ駆動装置を提供することを目的とする。
【課題を解決するための手段】
【０００５】
請求項１に記載のレンズ駆動装置は、光源側から入射した光束を立ち上げミラーで反射させ、対物レンズを介して光ディスクに集光させる光ピックアップ装置用のレンズ駆動装置であって、
ベースと、
前記ベースに対して可動であり、対物レンズを保持するホルダと、
前記ホルダにおいて前記レンズを挟んで設けられた一対のコイルと、
前記一対のコイルに対向するようにして、前記ベースに取り付けられた一対の磁石とを有し、
前記ホルダは、前記磁石に対向する面のうち前記光源からの光束が入射する方向に向いた少なくとも一つの面が、前記対物レンズに近い面に対して内方にシフトしていることを特徴とする。尚、「対物レンズに近い面」とは、面の中心が磁石より対物レンズに近い面を意味する。
【０００６】
本発明の作用効果を図面を参照して説明する。図１は、本発明の一例である光ピックアップ装置用のレンズ駆動装置の主要部を、対物レンズの光軸方向に見た図である。図１において、光軸方向にみて略十字形のホルダＨＬＤは、その中央開口ＨＬＤ１に対物レンズＯＢＪを取り付けている。ホルダＨＬＤの両側（後述するコリメータＣＯＬの光軸に対して両側）には、矩形孔ＨＬＤ２，ＨＬＤ３がそれぞれ形成されており、その内部にはそれぞれコイルＣＬ１、ＣＬ２が固定配置されている。
【０００７】
コイルＣＬ１、ＣＬ２内には、それぞれ板状のヨークＹＫ３，ＹＫ６が配置されている。不図示のベースに固定されたヨークＹＫ３は、コイルＣＬ１を挟んで、図１の上方に配置された磁石ＭＧ１と対向し、また図１の下方に配置された磁石ＭＧ２と対向している。磁石ＭＧ１、ＭＧ２は、それぞれヨークＹＫ１，ＹＫ２に裏打ちされている。
【０００８】
一方、不図示のベースに固定されたヨークＹＫ６は、コイルＣＬ２を挟んで、図１の上方に配置された磁石ＭＧ３と対向し、また図１の下方に配置された磁石ＭＧ４と対向している。磁石ＭＧ３、ＭＧ４は、それぞれヨークＹＫ４，ＹＫ５に裏打ちされている。
【０００９】
ここで、ホルダＨＬＤの開口ＨＬＤ１は、前記対物レンズのアパーチャＡＰ（点線で図示）より大径（φＯ＞φＡ）であり、ホルダＨＬＤは、磁石ＭＧ１〜ＭＧ４に対向する面Ｐ１〜Ｐ４が、対物レンズＯＢＪに近い位置の面Ｐ５，Ｐ６に対して内方（対物レンズＯＢＪの光軸寄り）にシフトしている。その理由を説明する。
【００１０】
本発明のレンズ駆動装置が用いられる光ピックアップ装置において、不図示の光源からの光束はコリメータＣＯＬを通過し、図１ではホルダＨＬＤの紙面垂直方向下方にある立ち上げミラーＭＲで反射されて図１の紙面垂直方向に折り曲げられ、対物レンズＯＢＪを介して不図示の光ディスクに集光されるようになっている。コリメータＣＯＬは、モータ装置ＭＴにより光軸方向に移動可能とされている。
【００１１】
ここで、スリム又はウルトラスリムタイプの光ピックアップ装置においては、対物レンズＯＢＪの光軸方向の厚さを薄くしなければならないという要請がある。そこで、コリメータＣＯＬと立ち上げミラーＭＲは、対物レンズＯＢＪに接近して配置される。それに応じて、コリメータＣＯＬを駆動する小型モータ装置ＭＴも、ホルダＨＬＤに接近するが、このときホルダＨＬＤが矩形状（即ち面Ｐ４が面Ｐ６に対してシフトしておらず面一）となっていると、その分だけ外方に配置されたヨークＹＫ５又は磁石ＭＧ４がモータ装置ＭＴと干渉する恐れがある。これを回避するために、モータ装置ＭＴをホルダＨＬＤから離隔させると、光ピックアップ装置のコンパクト化が図れない。一方、面Ｐ３，Ｐ４の幅でホルダＨＬＤを細長く形成すれば、モータ装置ＭＴとヨークＹＫ５又は磁石ＭＧ４との干渉を回避できるが、径の大きな対物レンズを搭載できなくなり、光ピックアップ装置の光学特性が悪化する。
【００１２】
本発明によれば、ホルダＨＬＤにおける磁石ＭＧ４に対向する面Ｐ４が、対物レンズＯＢＪに近い面Ｐ６に対して内方（対物レンズＯＢＪの光軸寄り）にシフトしているので、外径の大きい対物レンズＯＢＪを搭載できるにもかかわらず、モータ装置ＭＴとヨークＹＫ５又は磁石ＭＧ４との干渉を回避できる。尚、ホルダＨＬＤにおいて、面Ｐ４のみを面Ｐ６に対してシフトさせれば足りるので、例えば面Ｐ６、Ｐ２、及び面Ｐ１，Ｐ５，Ｐ３をそれぞれ面一とするなど、モータ装置ＭＴに近接する面を含むいずれか１つ以上の面（Ｐ１，Ｐ２：Ｐ３，Ｐ４）を、対物レンズに近い面（Ｐ５：Ｐ６）からシフトさせることも考えられる。但し、バランスの観点からは、図１に示すように面Ｐ１，Ｐ２：Ｐ３，Ｐ４を面Ｐ５：Ｐ６から等距離でシフトさせた対称型とすることが望ましい。
【００１３】
ここで、立ち上げミラーＭＲは、アパーチャＡＰの像を投射可能な程度に大きな反射面が必要となる。ところが、このように大型の立ち上げミラーＭＲをホルダＨＬＤに近接して配置すると、ホルダＨＬＤとの干渉が生じる恐れがある。これに対し本発明によれば、ホルダＨＬＤにおける磁石ＭＧ４に対向する面Ｐ４に対して、対物レンズＯＢＪに近い面Ｐ６を外方側にシフトする（即ち面Ｐ６を面Ｐ４に対してコリメータＣＯＬ側にシフトする：言い換えると面Ｐ６に対して面Ｐ４が内方にシフトする）ことで、コンパクトな構成でありながら、アパーチャＡＰの像を投射可能な程度に大きな立ち上げミラーＭＲとホルダＨＬＤとの干渉を抑制できる。尚、特許文献１に開示されたレンズ駆動装置の場合、対物レンズの周囲にフォーカシングコイルを配置しているので、アパーチャよりコイル内寸法を小さくできないのに対し、本発明では、コイル内寸法は任意の大きさとすることができる。
【００１４】
請求項２に記載のレンズ駆動装置は、光源側から入射した光束を立ち上げミラーで反射させ、対物レンズを介して光ディスクに集光させる光ピックアップ装置用のレンズ駆動装置であって、
ベースと、
前記ベースに対して可動であり、対物レンズを保持するホルダと、
前記ホルダにおいて前記対物レンズを挟んで設けられた一対のコイルと、
前記一対のコイルに対向するようにして、前記ベースに取り付けられた一対の磁石とを有し、
前記磁石に対向する前記ホルダの面のうち少なくとも一つの面は、前記対物レンズの外周より光軸寄りに配置されていることを特徴とする。
【００１５】
本発明によれば、ホルダＨＬＤにおける磁石ＭＧ４に対向する面Ｐ４が、対物レンズＯＢＪの外周より光軸寄りに配置されているので、上述のように、外径の大きい対物レンズＯＢＪを搭載できるにもかかわらず、モータ装置ＭＴとヨークＹＫ５又は磁石ＭＧ４との干渉を回避でき、更にコンパクトな構成でありながら、アパーチャＡＰの像を投射可能な程度に大きな立ち上げミラーＭＲとホルダＨＬＤとの干渉を抑制できる。
【００１６】
請求項３に記載のレンズ駆動装置は、光源側から入射した光束を立ち上げミラーで反射させ、対物レンズを介して光ディスクに集光させる光ピックアップ装置用のレンズ駆動装置であって、
ベースと、
前記ベースに対して可動であり、対物レンズを保持するホルダと、
前記ベースに対して前記ホルダの片側に向かって延在し支持する弾性部材と、
前記ホルダにおいて前記レンズを挟んで設けられた一対のコイルと、
前記一対のコイルに対向するようにして、前記ベースに取り付けられた一対の磁石とを有し、
前記ホルダは、前記磁石に対向する面のうち前記弾性部材が延在していない側の少なくとも一つの面が、前記対物レンズに近い面に対して内方にシフトしていることを特徴とする。
【００１７】
図１を参照して、ホルダＨＬＤの片側（図で上側）には、不図示のベースから弾性部材であるワイヤＷＲが延在し、ホルダＨＬＤはベースに対してワイヤＷＲの端部により支持されている。本発明によれば、ワイヤＷＲが延在しない側にあるホルダＨＬＤにおける磁石ＭＧ４に対向する面Ｐ４が、対物レンズＯＢＪに近い面Ｐ６に対して内方にシフトしているので、上述のように、外径の大きい対物レンズＯＢＪを搭載できるにもかかわらず、モータ装置ＭＴとヨークＹＫ５又は磁石ＭＧ４との干渉を回避でき、更にコンパクトな構成でありながら、アパーチャＡＰの像を投射可能な程度に大きな立ち上げミラーＭＲとホルダＨＬＤとの干渉を抑制できる。
【００１８】
請求項４に記載のレンズ駆動装置は、請求項１〜３のいずれかに記載の発明において、前記光源からの光束は可動コリメータを通過して前記立ち上げミラーで反射されることを特徴とするので、可動コリメータを駆動する小型モータとの干渉を抑制できる。
【００１９】
請求項５に記載のレンズ駆動装置は、請求項４に記載の発明において、前記ホルダは、前記可動コリメータの光軸方向に沿った長さを、それに直交する方向の長さより短くしたことを特徴とするので、コンパクトな構成を提供できる。
【００２０】
請求項６に記載のレンズ駆動装置は、請求項４又は５に記載の発明において、前記可動コリメータを駆動するモータ装置を、前記磁石の近傍に設けたことを特徴とする。
【００２１】
請求項７に記載のレンズ駆動装置は、請求項４〜６のいずれかに記載の発明において、前記可動コリメータを、前記対物レンズの近傍に設けたことを特徴とする。
【００２２】
請求項８に記載のレンズ駆動装置は、請求項１〜７のいずれかに記載の発明において、前記コイルは、前記磁石に対向する辺の長さ（図１に示すＸ）が、それに直交する辺（図１に示すＹ）の長さより長いことを特徴とする。これにより、コイルの全長に対する前記磁石にり形成される磁界内を通過する部分の割合が増えて、コイルの効率化を図れる。又、薄型の光ピックアップ装置において問題となっている、コイルが発熱した際の対物レンズへの熱影響も改善可能となる。
【発明の効果】
【００２３】
本発明によれば、よりコンパクトな構成を有し、コリメータを駆動する小型モータ装置の搭載を可能にするレンズ駆動装置を提供することができる。
【発明を実施するための最良の形態】
【００２４】
以下、図面を参照して、本発明の実施の形態をさらに詳細に説明する。図２は、本実施の形態にかかるレンズ駆動装置の斜視図である。ヨークを兼ねた板状のベース１は、不図示の光ピックアップ装置のハウジングに固定される。ベース１上には、筐体２が固定されている。筐体２の図で手前側には、基板３が取り付けられている。基板３には、片側で３本ずつ、合計６本のワイヤ４の一端が固定されており、各側のワイヤ４は、上下方向に等間隔で平行に並べられ且つベース１に沿って延在している。ワイヤ４の他端は、ホルダ５の側面に取り付けられた固定具１４にハンダ付けされている。ワイヤ４は、ベース１に対してホルダ５を移動可能に支持する機能と、不図示の配線が接続される基板３から、後述するコイルに対して給電するための機能とを有する。なお、筐体２内には、ワイヤ４のダンピング効果のあるジェル（不図示）が充填されている。
【００２５】
ベース１に対して可動となっている樹脂製のホルダ５は、図１に示すようにバランスに優れた略十字形であり、中央の円形開口（不図示）内に対物レンズ６を装着している。この対物レンズ６は、光ピックアップ装置において、光ディスクの情報記録面にレーザ光束を集光するために用いられる。又、ホルダ５は、両側に２つの矩形開口５ａ（手前側のみ図示）を形成している。
【００２６】
手前側の矩形開口５ａ内には、Ｌ字状の板を背中合わせにしたヨーク７Ａ、８Ａが上方より延在している。矩形開口５ａ内には、ヨーク７Ａ，８Ａの周囲を巻回するようにして第１コイル群Ｇ１が配置されている。第１コイル群Ｇ１に対し、矩形開口５ａを隔てて手前側には磁石１０Ａが配置され、奥側には磁石１０Ｂが配置されている。磁石１０Ａはヨーク７Ｂに裏打ちされ、磁石１０Ｂはヨーク８Ｂに裏打ちされている。ヨーク７Ｂ、８Ｂはベース１の一部であり、ヨーク７Ｂの上端にはヨーク７Ａの端部が連結され、ヨーク８Ｂの上端にはヨーク８Ａの端部が連結されている。第１コイル群Ｇ１と磁石１０Ａ及び１０Ｂとの間には、第１コイル群Ｇ１と巻軸線が直交するように巻かれたトラッキングコイル１１Ａ、１１Ｂが配置されている。
【００２７】
一方、矩形開口５ａに対し対物レンズ６を挟んで奥側の矩形開口内には、Ｌ字状の板を背中合わせにしたヨーク７Ｃ、８Ｃが上方より延在している。矩形開口内には、ヨーク７Ｃ，８Ｃの周囲を巻回するようにして第２コイル群Ｇ２が配置されている。第２コイル群Ｇ２に対し、矩形開口を隔てて手前側には磁石１０Ｃが配置され、奥側には磁石１０Ｄが配置されている。磁石１０Ｃはヨーク７Ｃに裏打ちされ、磁石１０Ｄはヨーク８Ｄに裏打ちされている。ヨーク７Ｄ、８Ｄはベース１の一部であり、ヨーク７Ｄの上端にはヨーク７Ｃの端部が連結され、ヨーク８Ｄの上端にはヨーク８Ｃの端部が連結されている。第２コイル群Ｇ２と磁石１０Ｃ及び１０Ｄとの間には、第２コイル群Ｇ２と巻軸線が直交するように巻かれたトラッキングコイル（図２で不図示、図３の１１Ｄ）が配置されている。
【００２８】
図３は、本実施の形態のレンズ駆動装置におけるホルダ周辺を、図２の矢印III方向から見た図である。中空のホルダ５は、その側面に下方に向かうにつれて拡幅した切欠５ｃを形成しており、その内部に立ち上げミラー１５が対物レンズ６に接近した状態で配置されている。図３に示すように、立ち上げミラー１５は、不図示のアパーチャの像ＡＰＧを投射できる程度に大きな面積を有するため、対物レンズ６に接近して配置してもホルダ５と干渉しないように切欠５ｃが形成されている。
【００２９】
図４は、レンズ駆動装置に近接して配置される小型モータ装置ＭＴの例を示す斜視図である。図４においては、駆動部材である駆動軸ＤＳ１の一端には、電気機械変換素子である圧電素子ＰＺ１が固定されている。駆動軸ＤＳ１の他端は、光ピックアップ装置の固定部ＦＸに固定されている。コリメータＣＯＬが取り付けられたＬ字状のホルダＨＤ２には、板ばねＳＰＧが取り付けられ、駆動軸ＤＳ１の外周をホルダＨＤ２に向かって付勢している。
【００３０】
圧電素子ＰＺ１は、ＰＺＴ(ジルコン・チタン酸鉛)などで形成された圧電セラミックスを積層してなる。圧電セラミックスは、その結晶格子内の正電荷の重心と負電荷の重心とが一致しておらず、それ自体分極していて、その分極方向に電圧を印加すると伸びる性質を有している。しかし、圧電セラミックスのこの方向への歪みは微小であり、この歪み量により被駆動部材を駆動することは困難であるため、図５に示すように、複数の圧電セラミックスＰＥを積み重ねてその間に電極Ｃを並列接続した構造の積層型圧電素子が実用可能なものとして提供されている。本実施の形態では、この積層型圧電素子を駆動源として用いている。
【００３１】
次に、この小型モータ装置ＭＴによるコリメータＣＯＬの駆動方法について説明する。一般に、積層型の圧電素子ＰＺ１は、電圧印加時の変位量は小さいが、発生力は大でその応答性も鋭い。したがって、図６（ａ）に示すように立ち上がりがゆっくりで立ち下がりが鋭い略鋸歯状波形のパルス電圧を印加すると、圧電素子ＰＺ１は、パルスの立ち上がり時にゆっくり伸び、立ち下がり時にそれよりも急激に縮む。したがって、圧電素子ＰＺ１がゆっくり伸長すると、駆動軸ＤＳ１の移動と共に、摩擦力で結合されたホルダＨＤ２も移動する。しかし、圧電素子ＰＺ１が急激に縮むと、ホルダＨＤ２の慣性により、駆動軸ＤＳ１とホルダＨＤ２との間の摩擦力を超えて両者の相対移動が生じるので、駆動軸ＤＳ１は移動してもホルダＨＤ２はその場に留まることとなる。これにより、圧電素子ＰＺ１に１パルス与えて１ストローク駆動させて、ホルダＨＤ２を距離Δだけ移動させることができる。従って、圧電素子ＰＺ２をｎストローク駆動させると、距離ｎ×ΔだけホルダＨＤ２ごとコリメータＣＯＬを光軸方向に移動させることができる。明らかであるが、図６（ｂ）に示すように立ち上がりが鋭く立ち下がりがゆっくりな略鋸歯状波形のパルス電圧を印加すると、任意の量だけ、ホルダＨＤ２ごとコリメータＣＯＬを光軸方向逆方向に移動させることができる。
【００３２】
次に、本実施の形態にかかるレンズ駆動装置の動作について説明する。ここでは、第１コイル群Ｇ１と第２コイル群Ｇ２は、それぞれ外側コイルと内側コイルとを２層に有しているものとする。
【００３３】
ワイヤ４を介して給電されたとき、第１のコイル群Ｇ１の外側コイルと第２のコイル群Ｇ２の外側コイルには、同じ電流値で同じ方向（ここでは時計回り）に電流が流れるため、フレミングの左手の法則により、２つのコイルには、図で上方に向かう磁力がそれぞれ生じる。従って、第１コイル群Ｇ１と第２コイル群Ｇ２が固定されたホルダ５は、図で上方に移動することなり、それにより対物レンズ６を光軸方向に移動させることでフォーカシング動作を実現することができる。なお、電流の向きを逆にすれば、ホルダ５は下方に移動する。
【００３４】
一方、第１のコイル群Ｇ１の内側コイルには、時計回りの方向に電流を流し、第２のコイル群Ｇ２の内側コイルには、反時計回りの方向に電流を流すと、フレミングの左手の法則により、一方の内側コイルには、図で上方に向かう磁力が生じ、他方の内側コイルには、図で下方に向かう磁力が生じる。従って、光軸の位置を中心としてホルダ５を傾けるモーメントが作用することとなる。これにより対物レンズ６を傾けるティルト動作を実現することができる。なお、電流の向きを逆にすれば、ホルダ５は逆側に傾く。チルト調整動作を外側コイルを用いて行い、フォーカシング動作を内側コイルを用いて行っても良い。
【００３５】
更に、トラッキングコイル１１Ａ〜１１Ｄに電流を流すことで、ホルダ５を対物レンズ６と共に、光軸に直交する方向に移動可能となっており、それによりトラッキング動作を行うことができる。
【００３６】
本実施の形態のレンズ駆動装置によれば、図３を参照して、ホルダ５における磁石１０Ｂ、１０Ｄ（図２）に対向する面５ｄ、５ｅが、対物レンズ６に近い面５ｆに対して内方（対物レンズ６の光軸寄り）にシフトしているので、外径の大きい対物レンズ６を搭載できるにもかかわらず、面５ｄ、５ｅに磁石１０Ｂ、１０Ｄ接近させることができるので、いずれの側にコリメータＣＯＬを駆動するモータ装置ＭＴ（図４参照）を設けても、それとの干渉を回避できる。
【００３７】
以上、本発明を実施の形態を参照して説明してきたが、本発明は上記実施の形態に限定して解釈されるべきではなく、適宜変更・改良が可能であることはもちろんである。例えば、レンズホルダの素材は樹脂に限らず、アルミニウム合金やマグネシウム合金等の金属を用いることもできる。
【図面の簡単な説明】
【００３８】
【図１】本発明の一例である光ピックアップ装置用のレンズ駆動装置の主要部を、対物レンズの光軸方向に見た図である。
【図２】本実施の形態にかかるレンズ駆動装置の斜視図である。
【図３】本実施の形態のレンズ駆動装置におけるホルダ周辺を、図２の矢印III方向から見た図である。
【図４】レンズ駆動装置に近接して配置される小型モータ装置ＭＴの例を示す斜視図である。
【図５】複数の圧電セラミックスＰＥを積み重ねてその間に電極Ｃを並列接続した構造の積層型圧電アクチュエータＰＺを示す斜視図である。
【図６】圧電アクチュエータＰＺに印加される電圧パルスの波形を示す図である。
【符号の説明】
【００３９】
１ ベース
２ 筐体
４ ワイヤ
５ ホルダ
５ａ 矩形開口
５ｃ 切欠
５ｄ 面
５ｅ 面
５ｆ 面
６ 対物レンズ
７Ａ〜７Ｄ ヨーク
８Ａ〜８Ｄ ヨーク
１０Ａ〜１０Ｄ 磁石
１１Ａ〜１１Ｄ トラッキングコイル
１４ 固定具
Ｇ１  第１コイル群
Ｇ２  第２コイル群
【図１】
2008122594.tif 000003
【図２】
2008122594.tif 000004
【図３】
2008122594.tif 000005
【図４】
2008122594.tif 000006
【図５】
2008122594.tif 000007
【図６】
2008122594.tif 000008